(57)【要約】【課題】  低コストで製造することができ、かつ、部材安定性に優れているとともに、釘やビスなどの固定部材を縦方向や横方向から打ち込んでも確実に保持することができる積層垂木材を提供すること。【解決手段】  直木丸太材Ｌの軸方向に板目取りされた長手の板目材１と、柾目取りされた長手の柾目材２とからなり、略同一厚さの一対の板目材１・１の木裏11をそれぞれ外側に向けた状態で、これら両板目材１・１の木表12に柾目材２を挟持して、これらの接合面を固着して一体に積層して構成するという技術的手段を採用した。【選択図】  図１
2017193074.tif 000002
【特許請求の範囲】
【請求項１】
直木丸太材（Ｌ）の軸方向に板目取りされた長手の板目材（１）と、柾目取りされた長手の柾目材（２）とからなり、
略同一厚さの一対の板目材（１・１）の木裏（11）をそれぞれ外側に向けた状態で、これら両板目材（１・１）の木表（12）に柾目材（２）が挟持され、これらの接合面が固着されて一体に積層して構成されてなることを特徴とする積層垂木材。
【請求項２】
直木丸太材（Ｌ）の軸方向に板目取りされた長手の板目材（１）と、柾目取りされた長手の柾目材（２）とからなり、
略同一厚さの一対の板目材（１・１）の木表（12）をそれぞれ外側に向けた状態で、これら両板目材（１・１）の木裏（11）に柾目材（２）が挟持され、これらの接合面が固着されて一体に積層して構成されてなることを特徴とする積層垂木材。
【請求項３】
板目材（１）と柾目材（２）との境界面に高粘度接着剤（３Ａ）が硬化した状態で介装されて固着されていることを特徴とする請求項１または２記載の積層垂木材。
【請求項４】
板目材（１）と柾目材（２）との境界面に低粘度接着剤（３Ｂ）が含浸硬化した状態で介装されて固着されていることを特徴とする請求項１または２記載の積層垂木材。
【請求項５】
直木がスギであることを特徴とする請求項１〜４の何れか一つに記載の積層垂木材。
【発明の詳細な説明】
【技術分野】
【０００１】
本発明は、木製建築材料の改良、更に詳しくは、低コストで製造することができ、かつ、部材安定性に優れているとともに、釘やビスなどの固定部材を縦方向や横方向から打ち込んでも確実に保持することができる積層垂木材に関するものである。
【背景技術】
【０００２】
周知のとおり、木造建築において野地板などの屋根部材を敷設するためには垂木材が設置されており、その使用材料としてスギやヒノキなどの長尺の天然木材（直木）が採用されている。
【０００３】
かかる従来の垂木材は、無垢で一本ものの角材であることが多く、木材には年輪が存在しているがゆえに繊維方向が非対称であるため、時間の経過によって不可避的に木表側に湾曲して反ってしまうという問題があり、その結果、固定された野地板に隙間ができてしまい雨漏りなどを生じるおそれがあった。
【０００４】
また、施工性についても、かかる垂木材に各部材を固定するために釘やビスなどの固定部材を打ち込む際には、通常、鉛直方向に対しては年輪の層を貫通するために保持力があるが、側方から水平方向に打ち込む際には、どうしても年輪の間に打ち込まれることになってしまうため、固定部材の引っ掛かりが弱く抜け易いという問題があった。
【０００５】
従来、＜特許文献１＞に開示されているような板目材と柾目材とを組み合わせた集成材が存在するが、このような継ぎ接ぎの部材では、垂木材のような長尺で耐荷重が要求される屋根下地の用途に適した構造にはなっておらず、製造コストも嵩んでしまうという問題がある。
【先行技術文献】
【特許文献】
【０００６】
【特許文献１】特開２００５−５９５２９号公報
【発明の概要】
【発明が解決しようとする課題】
【０００７】
本発明は、従来の木製建築材料に上記のような問題があったことに鑑みて為されたものであり、その目的とするところは、低コストで製造することができ、かつ、部材安定性に優れているとともに、釘やビスなどの固定部材を縦方向や横方向から打ち込んでも確実に保持することができる積層垂木材を提供することにある。
【課題を解決するための手段】
【０００８】
本発明者が上記技術的課題を解決するために採用した手段を、添付図面を参照して説明すれば、次のとおりである。
【０００９】
即ち、本発明は、直木丸太材Ｌの軸方向に板目取りされた長手の板目材１と、柾目取りされた長手の柾目材２とからなり、
略同一厚さの一対の板目材１・１の木裏11をそれぞれ外側に向けた状態で、これら両板目材１・１の木表12に柾目材２を挟持して、これらの接合面を固着して一体に積層して構成するという技術的手段を採用したことによって、積層垂木材を完成させた。
【００１０】
また、本発明は、直木丸太材Ｌの軸方向に板目取りされた長手の板目材１と、柾目取りされた長手の柾目材２とからなり、
略同一厚さの一対の板目材１・１の木表12をそれぞれ外側に向けた状態で、これら両板目材１・１の木裏11に柾目材２を挟持して、これらの接合面を固着して一体に積層して構成するという技術的手段を採用することもできる。
【００１１】
また、本発明は、上記課題を解決するために、必要に応じて上記手段に加え、板目材１と柾目材２との境界面に高粘度接着剤３Ａを硬化した状態で介装して固着するという技術的手段を採用することもできる。
【００１２】
更にまた、本発明は、上記課題を解決するために、必要に応じて上記手段に加え、板目材１と柾目材２との境界面に低粘度接着剤３Ｂを含浸硬化した状態で介装して固着するという技術的手段を採用することもできる。
【００１３】
更にまた、本発明は、上記課題を解決するために、必要に応じて上記手段に加え、直木をスギにするという技術的手段を採用することもできる。
【発明の効果】
【００１４】
本発明は、直木丸太材の軸方向に板目取りされた長手の板目材と、柾目取りされた長手の柾目材とからなり、略同一厚さの一対の板目材の木裏をそれぞれ外側に向けた状態で、これら両板目材の木表に柾目材を挟持して、これらの接合面を固着して一体に積層して構成することによって、低コストで製造することができ、かつ、部材安定性に優れているとともに、釘やビスなどの固定部材を縦方向や横方向から打ち込んでも確実に保持することができる。
【００１５】
本発明によれば、板目材と柾目材とを巧みに組み合わせることによって、真っ直ぐな材料を成形することができ、小径木でなく大径木を有効活用できることから、産業上の利用価値は頗る大きい。
【図面の簡単な説明】
【００１６】
【図１】本発明の実施形態の積層垂木材を表わす全体斜視図である。
【図２】本発明の実施形態の積層垂木材の製造工程を表わす説明断面図である。
【図３】本発明の実施形態の積層垂木材の板目材を表わす斜視図である。
【図４】本発明の実施形態の積層垂木材の柾目材を表わす斜視図である。
【図５】本発明の実施形態の積層垂木材の構造を表わす断面図である。
【図６】本発明の実施形態の積層垂木材の製造工程を表わす説明斜視図である。
【図７】本発明の実施形態の積層垂木材の使用状態を表わす説明断面図である。
【図８】本発明の実施形態の積層垂木材の使用状態を表わす説明断面図である。
【図９】本発明の実施形態の積層垂木材の変形例の構造を表わす断面図である。
【図１０】本発明の実施形態の積層垂木材の変形例の構造を表わす断面図である。
【発明を実施するための形態】
【００１７】
本発明の実施形態を図１から図１０に基づいて説明する。図１中、符号１で指示するものは板目材であり、また、符号２で指示するものは柾目材である。
【００１８】
本発明の積層垂木材は、直木丸太材Ｌの軸方向に板目取りされた長手の板目材１と、柾目取りされた長手の柾目材２とからなる。直木にはスギやヒノキなどがあり、本実施形態では、安価で加工性の良いスギを採用する。
【００１９】
次に、木取りについて図２に示す。板目材１は、直木丸太材Ｌの年輪方向に沿うようにして長方形断面に切断するものである一方（図３参照）、柾目材２は、直木丸太材Ｌの年輪方向を横切るようにして長方形断面に切断するものである（図４参照）。
【００２０】
そして、略同一厚さ（本実施形態では１５ｍｍ程度）の一対の板目材１・１の木裏11（年輪外側）をそれぞれ外側に向けた状態で、これら両板目材１・１の木表12に柾目材２（同様に厚さ１５ｍｍ程度）を挟持する。
【００２１】
このように板目材１を対称的に配設したことによって、板目材１は時間の経過によって不可避的に木表側に湾曲して反ってしまうところ、この湾曲しようとする力を相反方向に相殺して直軸性を保ち、部材の安定化を実現することができる。
【００２２】
然る後、これらの接合面を固着して一体に積層して構成する（図５参照）。本実施形態では、板目材１と柾目材２との境界面に高粘度接着剤３Ａが硬化した状態で介装して固着する。高粘度接着剤３Ａは塗布して付着させる。この高粘度接着剤３Ａとしては、ゴム系樹脂材料や粘着テープを採用することができる。こうすることにより、この高粘度接着剤３Ａが摩擦抵抗となって、固定部材Ｐをより抜け難くすることができる。
【００２３】
なお、本実施形態の積層垂木材を製造するにあっては、図６に示すように、幅広の板目材１・１に柾目材２を挟持し、こうして作成された基材を（図中の破線に沿って）切断して、効率的にまとめて製造することができる。具体的には、幅約１３５ｍｍ、厚さ約４５ｍｍ（１５ｍｍ×３）、長さ４ｍの基材を作成して、断面を４分割して幅約３５ｍｍ、厚さ約４５ｍｍの積層垂木材を４本まとめて製造することができる。
【００２４】
こうして作製された本実施形態の積層垂木材を使用して板材等を固定する際、鉛直方向に釘やビスなどの固定部材Ｐを打ち込む場合には、図７に示すように、板目材１の年輪の層を貫通するために、優れた保持力を発揮することができる。
【００２５】
また、側方から水平方向に釘やビスなどの固定部材Ｐを打ち込む場合には、図８に示すように、柾目材２の年輪の層を貫通するために、やはり優れた保持力を発揮することができるのである。
【００２６】
なお、本実施形態では、図９に示すように、前記同様の直木丸太材Ｌの軸方向に板目取りされた長手の板目材１と、柾目取りされた長手の柾目材２とからなり、略同一厚さの一対の板目材１・１の木表12をそれぞれ外側に向けた状態で、これら両板目材１・１の木裏11に柾目材２を挟持して、これらの接合面を固着して一体に積層して構成することもできる。
【００２７】
この場合においても、板目材１を対称的に配設したことによって、板目材１は時間の経過によって不可避的に木表側に湾曲して反ってしまうところ、湾曲しようとする力を相反方向に相殺して直軸性を保ち、部材の安定化を実現することができる。
【００２８】
更にまた、本実施形態では、板目材１と柾目材２との境界面に低粘度接着剤３Ｂを含浸硬化した状態で介装して固着することもできる（図１０参照）。低粘度接着剤３Ｂは塗布して付着させる。この低粘度接着剤３Ｂとしては、ウレタン系樹脂やエポキシ系樹脂などを採用することができる。こうすることにより、この低粘度接着剤３Ｂが摩擦抵抗となって、固定部材Ｐをより抜け難くすることができる。
【００２９】
本発明は、概ね上記のように構成されるが、図示の実施形態に限定されるものでは決してなく、「特許請求の範囲」の記載内において種々の変更が可能であって、例えば、積層する板目材１および柾目材２は、対称的な積層構造であれば３層に限らず５層以上にすることができる。
【００３０】
また、板目材１と柾目材２との境界面の固着は接着剤に限らず、ステープルやバンド結束などで固定することもでき、これら何れのものも本発明の技術的範囲に属する。
【符号の説明】
【００３１】
１    板目材
11    木裏
12    木表
２    柾目材
３Ａ  高粘度接着剤
３Ｂ  低粘度接着剤
Ｌ    直木丸太材
Ｐ    固定部材
【図１】
2017193074.tif 000003
【図２】
2017193074.tif 000004
【図３】
2017193074.tif 000005
【図４】
2017193074.tif 000006
【図５】
2017193074.tif 000007
【図６】
2017193074.tif 000008
【図７】
2017193074.tif 000009
【図８】
2017193074.tif 000010
【図９】
2017193074.tif 000011
【図１０】
2017193074.tif 000012